(57)【要約】【課題】動画データが優先的に記録するように選択されていない記録媒体に記録するオルタネート記録を行った後に、簡単な操作で、ユーザに無駄な時間を取らせることなく、オルタネート記録されたデータをユーザが選択した記録媒体に自動的にダビングすることができる記録再生装置及びこの記録再生装置を用いたダビング方法を提供する。【解決手段】第１記録媒体（ＤＶＤメディア９１）に動画データを記録できない場合、第２記録媒体（ＨＤＤ１３）に代替記録し、その代替記録された動画データに代替記録を識別する情報を付加するとともに、後ほど代替記録された動画データを第１記録媒体（ＤＶＤメディア９１）にダビングするダビング方法であって、識別情報が付加されているかどうかを確認し（Ｓ２１）、ユーザによって予め設定されている設定事項を確認し（Ｓ２２）、確認された設定事項に基づいて自動的にダビングをおこなう（Ｓ２１１）。【選択図】図８
2007234137.tif 000002
【特許請求の範囲】
【請求項１】
記録媒体としてＤＶＤメディアを用いて動画データの記録処理を行うＤＶＤメディア記録手段と、
前記ＤＶＤメディアを用いた動画データの記録処理が実施不可能である状況において前記ＤＶＤメディア記録手段を用いた前記動画データの記録指示をユーザより受け付けた際に、記録処理に用いる前記記録媒体を前記ＤＶＤメディアからハードディスクに切り替えることにより前記動画データの代替記録処理を行う代替記録手段と、
前記代替記録手段を用いて記録された前記動画データに対して、前記動画データが前記代替記録手段によって記録されたものであることを示す識別情報を付加する識別情報付加手段とを備えたハードディスク内蔵ＤＶＤレコーダにおいて、
前記動画データが前記識別情報付加手段により前記識別情報が付加されているかどうかを確認する識別情報確認手段と、
前記識別情報確認手段にて識別情報が付加されていると確認された動画データをＤＶＤメディアにダビングするためにユーザによって予め設定された設定事項を確認する代替ダビング確認手段と、
前記代替ダビング確認手段にて確認された設定事項に基づいて前記識別情報が付加された動画データを前記ハードディスクより前記ＤＶＤメディアに自動的にダビングする代替ダビング手段を有し、
前記代替ダビング確認手段は、前記代替記録手段にて代替記録された動画データをダビングするかどうかの設定を確認するするダビング設定確認手段と、ダビングを行うタイミングの設定を確認するタイミング設定確認手段と、ダビングを行う動画データの選択設定を確認するダビング選択確認手段とを有していることを特徴とするハードディスク内臓ＤＶＤレコーダ。
【請求項２】
記録媒体として第１記録媒体を用いて動画データの記録処理を行う第１記録媒体記録手段と、
前記第１記録媒体を用いた記録処理が実施不可能である状況において前記第１記録媒体記録手段を用いた前記動画データの記録指示をユーザより受け付けた際に、記録処理に用いる前記記録媒体を前記第１記録媒体から第２記録媒体に切り替えることにより前記動画データの代替記録処理を行う代替記録手段と、
前記代替記録手段を用いて記録された前記動画データに対して、前記動画データが前記代替記録手段によって記録されたものであることを示す識別情報を付加する識別情報付加手段とを備えた記録再生装置であって、
前記動画データが前記識別情報付加手段により前記識別情報が付加されているかどうかを確認する識別情報確認手段と、
前記識別情報確認手段にて前記識別情報が付加されていると確認された動画データを前記第１記録媒体にダビングするためにユーザによって予め設定されている設定事項を確認する代替ダビング確認手段と、
前記代替ダビング確認手段にて確認された設定事項に基づいて前記識別情報が付加された動画データを前記第２記録媒体より前記第１記録媒体に自動的にダビングする代替ダビング手段を有することを特徴とする記録再生装置。
【請求項３】
前記代替ダビング確認手段は、ダビングを行うタイミングの設定を確認するタイミング設定確認手段を備えていることを特徴とする請求項２に記載の記録再生装置。
【請求項４】
前記代替ダビング確認手段は、ダビングを行う動画データの選択設定を確認するダビング選択確認手段を備えていることを特徴とする請求項２又は請求項３に記載の記録再生装置。
【請求項５】
記録媒体としてＤＶＤメディアを用いて動画データの記録処理を行うＤＶＤメディア記録ステップと、
前記ＤＶＤメディアを用いた記録処理が実施不可能である状況において前記ＤＶＤメディア記録ステップにおいて前記動画データの記録指示をユーザより受け付けた際に、記録処理に用いる前記記録媒体を前記ＤＶＤメディアからハードディスクに切り替えることにより前記動画データの代替記録処理を行う代替記録ステップと、
前記代替記録ステップによって記録された前記動画データに対して、前記動画データが前記代替記録ステップによって記録されたものであることを示す識別情報を付加する識別情報付加ステップとを備えたハードディスク内蔵ＤＶＤレコーダにおけるダビング方法であって、
前記動画データが前記識別情報付加ステップにより前記識別情報が付加されているかどうかを確認する識別情報確認ステップと、
前記識別情報確認ステップにて識別情報が付加されていると確認された動画データをＤＶＤメディアにダビングするためにユーザによって予め設定された設定事項を確認する代替ダビング確認ステップと、
前記代替ダビング確認ステップにて確認された設定事項に基づいて前記識別情報が付加された動画データを前記ハードディスクより前記ＤＶＤメディアに自動的にダビングする代替ダビングステップを有し、
前記代替ダビング確認ステップは、前記代替記録ステップにて代替記録された動画データをダビングするかどうかの設定を確認するするダビング設定確認ステップと、ダビングを行うタイミングの設定を確認するタイミング設定確認ステップと、ダビングを行う動画データの選択設定を確認するダビング選択確認ステップとを有していることを特徴とするダビング方法。
【請求項６】
記録媒体として第１記録媒体を用いて動画データの記録処理を行う第１記録媒体記録ステップと、
前記第１記録媒体を用いた記録処理が実施不可能である状況において前記第１記録媒体記録ステップを用いた前記動画データの記録指示をユーザより受け付けた際に、記録処理に用いる前記記録媒体を前記第１記録媒体から第２記録媒体に切り替えることにより前記動画データの代替記録処理を行う代替記録ステップと、
前記代替記録ステップを用いて記録された前記動画データに対して、前記動画データが前記代替記録手段によって記録されたものであることを示す識別情報を付加する識別情報付加手段とを備えた記録再生装置におけるダビング方法であって、
前記動画データが前記識別情報付加ステップにより前記識別情報が付加されているかどうかを確認する識別情報確認ステップと、
前記識別情報確認ステップにて前記識別情報が付加されていると確認された動画データを前記第１記録媒体にダビングするためにユーザによって予め設定されている設定事項を確認する代替ダビング確認ステップと、
前記代替ダビング確認ステップにて確認された設定事項に基づいて前記識別情報が付加された動画データを前記第２記録媒体より前記第１記録媒体に自動的にダビングする代替ダビングステップを有することを特徴とするダビング方法。
【請求項７】
前記代替ダビング確認ステップは、ダビングを行うタイミングの設定を確認するタイミング設定確認ステップを備えていることを特徴とする請求項６に記載のダビング方法。
【請求項８】
前記代替ダビング確認ステップは、ダビングを行う動画データの選択設定を確認するダビング選択確認ステップを備えていることを特徴とする請求項６又は請求項７に記載のダビング方法。
【発明の詳細な説明】
【技術分野】
【０００１】
本発明は、ＨＤＤ（Ｈａｒｄ  Ｄｉｓｋ  Ｄｒｉｖｅ）を内蔵したＤＶＤ（Ｄｉｇｉｔａｌ  Ｖｅｒｓａｔｉｌｅ  Ｄｉｓｋ）レコーダに関するものであり、特にＤＶＤメディア（第１記録媒体）に対する記録が実施不可能である状況においてＨＤＤ（第２記録媒体）に代替記録されたコンテンツ（動画データ）を、その後、ＤＶＤメディアへダビングする記録再生装置及びダビング方法。
【背景技術】
【０００２】
近年、テレビ等の映像装置において処理されるコンテンツ（番組）の記録および再生を行うための装置として、記録媒体に着脱可能な光ディスクを用いたＤＶＤレコーダ、或いは記録媒体に磁気記録媒体を用いたＨＤＤレコーダ等の記録再生装置が広く普及している。このうち、ＤＶＤおよびＨＤＤの両方を搭載した記録再生装置であるハードディスク内蔵ＤＶＤレコーダにおいては、ＤＶＤメディアが挿入されていなかったり、挿入されているＤＶＤメディアが再生専用であったりしてＤＶＤメディアへの記録が実施不可である場合に、一時的に記録コンテンツをＨＤＤ等の別記録媒体に記録するオルタネート記録機能（代替記録機能）を備えているものが存在する。
【０００３】
オルタネート記録機能は、ユーザより記録指示を受け、かつ記録媒体としてＤＶＤメディアが指定されている場合において用いられる機能である。この機能は、例えばＤＶＤスロットにＤＶＤメディアが存在しない場合に、自動的に記録媒体をＤＶＤメディアからＨＤＤ等の他記憶媒体に変更して動画データを記録を行うものである。また例えば、書き込み不可状態のＤＶＤメディアがＤＶＤスロットに収納されている場合や、ＤＶＤメディアダビング中に予約記録が実行された場合等に、オルタネート記録機能を用いれば、ＤＶＤメディアに記録される予定であった動画データを一時的にＨＤＤに記録することが可能である。
【０００４】
ＨＤＤにオルタネート記録された動画データはほとんどの場合、ユーザの選択によって、後ほどＤＶＤメディアにダビングされる。
【０００５】
また、特開２００５−１７４３９１号公報に記載の発明においては、２つの記録媒体（光ディスクとＨＤＤ）にまたがってコンテンツを記録した場合（以下リレー記録という）に、簡単な操作で一方のメディアにリレー記録されたコンテンツを移動することができる記録再生装置が示されている。
【特許文献１】特開２００５−１７４３９１号公報
【発明の開示】
【発明が解決しようとする課題】
【０００６】
しかしながら、オルタネート記録をした動画データはその後ＤＶＤメディアへのダビングを行われるが、ダビングを行うときには、動画データの詳細情報、或いは記録履歴等を確認し、手動でＤＶＤメディアにダビングしなくてはならず、手間がかかるという問題があった。
【０００７】
また、特開２００５−１７４３９１号公報に記載の発明はリレーコンテンツをひとつにまとめるものであり、２つの記録媒体にまたがったリレーコンテンツを結合するものであり、２つの記録媒体に記録されたコンテンツの部分に記録された情報をもとに、コンテンツを結合するものであり、オルタネート記録を行ったコンテンツをダビングすることはできない。
【０００８】
そこで本発明は、上記の問題に鑑みてなされたものであり、オルタネート記録された動画データを、ユーザの指示に基づいて、自動的にダビングするものであり、ダビングを行うときにその都度ユーザが記録再生装置に指示を行わなくても良く、それだけユーザの手間を省くことができる記録再生装置を提供することを目的とする。
【課題を解決するための手段】
【０００９】
上記目的を達成するために本発明は、記録媒体としてＤＶＤメディアを用いて動画データの記録処理を行うＤＶＤメディア記録手段と、前記ＤＶＤメディアを用いた動画データの記録処理が実施不可能である状況において前記ＤＶＤメディア記録手段を用いた前記動画データの記録指示をユーザより受け付けた際に、記録処理に用いる前記記録媒体を前記ＤＶＤメディアからハードディスクに切り替えることにより前記動画データの代替記録処理を行う代替記録手段と、前記代替記録手段を用いて記録された前記動画データに対して、前記動画データが前記代替記録手段によって記録されたものであることを示す識別情報を付加する識別情報付加手段とを備えたハードディスク内蔵ＤＶＤレコーダにおいて、前記動画データが前記識別情報付加手段により前記識別情報が付加されているかどうかを確認する識別情報確認手段と、前記識別情報確認手段にて識別情報が付加されていると確認された動画データをＤＶＤメディアにダビングするためにユーザによって予め設定された設定事項を確認する代替ダビング確認手段と、前記代替ダビング確認手段にて確認された設定事項に基づいて前記識別情報が付加された動画データを前記ハードディスクより前記ＤＶＤメディアに自動的にダビングする代替ダビング手段を有し、前記代替ダビング確認手段は、前記代替記録手段にて代替記録された動画データをダビングするかどうかの設定を確認するするダビング設定確認手段と、ダビングを行うタイミングの設定を確認するタイミング設定確認手段と、ダビングを行う動画データの選択設定を確認するダビング選択確認手段とを有していることを特徴とする。
【００１０】
この構成によると、予め設定して置けば、ハードディスクに代替記録を行った動画データを検出し、自動的にＤＶＤメディアにダビングすることができるので、それだけ、ユーザの手間を省くことが可能である。
【００１１】
上記目的を達成するために本発明は、記録媒体として第１記録媒体を用いて動画データの記録処理を行う第１記録媒体記録手段と、前記第１記録媒体を用いた記録処理が実施不可能である状況において前記第１記録媒体記録手段を用いた前記動画データの記録指示をユーザより受け付けた際に、記録処理に用いる前記記録媒体を前記第１記録媒体から第２記録媒体に切り替えることにより前記動画データの代替記録処理を行う代替記録手段と、前記代替記録手段を用いて記録された前記動画データに対して、前記動画データが前記代替記録手段によって記録されたものであることを示す識別情報を付加する識別情報付加手段とを備えた記録再生装置であって、前記動画データが前記識別情報付加手段により前記識別情報が付加されているかどうかを確認する識別情報確認手段と、前記識別情報確認手段にて前記識別情報が付加されていると確認された動画データを前記第１記録媒体にダビングするためにユーザによって予め設定されている設定事項を確認する代替ダビング確認手段と、前記代替ダビング確認手段にて確認された設定事項に基づいて前記識別情報が付加された動画データを前記第２記録媒体より前記第１記録媒体に自動的にダビングする代替ダビング手段を有することを特徴とする。
【００１２】
上記構成において、前記代替ダビング確認手段は、ダビングを行うタイミングの設定を確認するタイミング設定確認手段を備えていてもよく、ダビングを行う動画データの選択設定を確認するダビング選択確認手段を備えていてもよい。
【００１３】
上記目的を達成するために本発明は、記録媒体としてＤＶＤメディアを用いて動画データの記録処理を行うＤＶＤメディア記録ステップと、前記ＤＶＤメディアを用いた記録処理が実施不可能である状況において前記ＤＶＤメディア記録ステップにおいて前記動画データの記録指示をユーザより受け付けた際に、記録処理に用いる前記記録媒体を前記ＤＶＤメディアからハードディスクに切り替えることにより前記動画データの代替記録処理を行う代替記録ステップと、前記代替記録ステップによって記録された前記動画データに対して、前記動画データが前記代替記録ステップによって記録されたものであることを示す識別情報を付加する識別情報付加ステップとを備えたハードディスク内蔵ＤＶＤレコーダにおけるダビング方法であって、前記動画データが前記識別情報付加ステップにより前記識別情報が付加されているかどうかを確認する識別情報確認ステップと、前記識別情報確認ステップにて識別情報が付加されていると確認された動画データをＤＶＤメディアにダビングするためにユーザによって予め設定された設定事項を確認する代替ダビング確認ステップと、前記代替ダビング確認ステップにて確認された設定事項に基づいて前記識別情報が付加された動画データを前記ハードディスクより前記ＤＶＤメディアに自動的にダビングする代替ダビングステップを有し、前記代替ダビング確認ステップは、前記代替記録ステップにて代替記録された動画データをダビングするかどうかの設定を確認するするダビング設定確認ステップと、ダビングを行うタイミングの設定を確認するタイミング設定確認ステップと、ダビングを行う動画データの選択設定を確認するダビング選択確認ステップとを有していることを特徴とする。
【００１４】
上記目的を達成するために本発明は、記録媒体として第１記録媒体を用いて動画データの記録処理を行う第１記録媒体記録ステップと、前記第１記録媒体を用いた記録処理が実施不可能である状況において前記第１記録媒体記録ステップを用いた前記動画データの記録指示をユーザより受け付けた際に、記録処理に用いる前記記録媒体を前記第１記録媒体から第２記録媒体に切り替えることにより前記動画データの代替記録処理を行う代替記録ステップと、前記代替記録ステップを用いて記録された前記動画データに対して、前記動画データが前記代替記録手段によって記録されたものであることを示す識別情報を付加する識別情報付加手段とを備えた記録再生装置におけるダビング方法であって、前記動画データが前記識別情報付加ステップにより前記識別情報が付加されているかどうかを確認する識別情報確認ステップと、前記識別情報確認ステップにて前記識別情報が付加されていると確認された動画データを前記第１記録媒体にダビングするためにユーザによって予め設定されている設定事項を確認する代替ダビング確認ステップと、前記代替ダビング確認ステップにて確認された設定事項に基づいて前記識別情報が付加された動画データを前記第２記録媒体より前記第１記録媒体に自動的にダビングする代替ダビングステップを有することを特徴とする。
【００１５】
上記構成において、前記代替ダビング確認ステップは、ダビングを行うタイミングの設定を確認するタイミング設定確認ステップを備えていてもよく、ダビングを行う動画データの選択設定を確認するダビング選択確認ステップを備えていてもよい。
【発明の効果】
【００１６】
本発明によると、オルタネート記録された動画データを、ユーザの指示に基づいて、自動的にダビングするものであり、ダビングを行うときにその都度ユーザが記録再生装置に指示を行わなくても良く、それだけユーザの手間を省くことができる記録再生装置及びダビング方法を提供することができる。
【発明を実施するための最良の形態】
【００１７】
以下に本発明の実施形態を図面を参照して説明する。図１に本発明のＨＤＤ内蔵ＤＶＤレコーダの一例のブロック図を示す。
【００１８】
図１のブロック図に示すように、本発明のＨＤＤ内蔵ＤＶＤレコーダ１は、少なくとも、制御部１１、メモリ１２、ＨＤＤ１３、データ入力部１４、エンコーダ部１５、デコーダ部１６、データ出力部１７、制御プログラム記憶部１８、操作ボタン群２１、フロントパネル２２、およびＤＶＤスロット２３を含むように構成されている。
【００１９】
制御部１１は、ＨＤＤ内蔵ＤＶＤレコーダ１の各部材の駆動を有機的に制御することにより映像情報処理（コンテンツの記録、或いは再生等）を統括制御するための中央処理装置である。また制御部１１は、各装置（例えばＨＤＤ１３等）の制御やデータの計算、加工処理等を行う中枢部分となっている。
【００２０】
メモリ１２は、ＨＤＤ内蔵ＤＶＤレコーダ１が保持する各種データを一時的に記憶する媒体であり、例えば書込可能なＲＡＭ（Ｒａｎｄｏｍ  Ａｃｃｅｓｓ  Ｍｅｍｏｒｙ）等により構成されている。メモリ１２は、例えば制御部１１によって各種情報処理が行われる際の処理データや、ユーザから受けた指示命令等を一時的に記憶しておくためのバッファメモリとしての役割を持つ。
【００２１】
ＨＤＤ１３は、ＨＤＤ内蔵ＤＶＤレコーダ１が保持する各種データ（映像情報、コンテンツ情報等）を記録するための磁気記録媒体である。なお、ＨＤＤ１３は、複数の領域（パーティション）に物理的に分割することが可能であり、記憶するデータの種別（映像情報、コンテンツ情報等）に応じて領域別に記憶することがより望ましい。
【００２２】
データ入力部１４は、例えばデジタルチューナーなどの外部装置からデジタルデータ（映像情報）を入力するための入力インターフェースである。また、例えばアナログデータを入力する場合は、Ａ／Ｄコンバータを用いてアナログの映像データおよび音声データをデジタルデータに変換して入力することが可能である。
【００２３】
エンコーダ部１５は、映像データをＭＰＥＧ２等の動画圧縮方式により圧縮（エンコード）を行ったり、音声データをＤｏｌｂｙ  ＡＣ−３やＬＰＣＭ等の音声圧縮方式により圧縮を行うための処理回路である。なお、圧縮を行うデータとしては、例えばデータ入力部１４より入力された映像データおよび音声データ等が対象となる。
【００２４】
デコーダ部１６は、前記エンコーダ部１５等により圧縮された映像データおよび音声データを伸長（デコード）するための処理回路である。伸張が行われたデータは、例えば後述するデータ出力部１７等を用いて外部機器に対して出力される。
【００２５】
データ出力部１７は、例えばモニターなどの外部装置に対して映像データおよび音声データを出力するための出力インターフェースである。なお、例えば出力先の機器がアナログインタフェースしか備えていない場合は、Ｄ／Ａコンバータを用いてデジタルの映像データおよび音声データをアナログデータに変換して出力することが可能である。
【００２６】
制御プログラム記憶部１８は、例えば制御部１１を用いた各種処理（例えば映像データの入出力制御等）を行うためのプログラムデータを記憶するための媒体であり、例えば情報の読み出しのみが可能なＲＯＭ（Ｒｅａｄ  Ｏｎｌｙ  Ｍｅｍｏｒｙ）等が用いられる。
【００２７】
操作ボタン群２１は、ユーザが番組の記録および記録予約等の各種指示をＨＤＤ内蔵ＤＶＤレコーダ１に対して行うための入力インターフェースである。フロントパネル２２は、ＨＤＤ内蔵ＤＶＤレコーダ１の各種情報をユーザに対して表示するためのユーザーインタフェースである。
【００２８】
ＤＶＤスロット２３は、ＤＶＤメディア９１を格納し、ＤＶＤメディア９１に対して光学的に各種データの読み込み、または書き込みを行うための光学装置である。なお、ＤＶＤには複数の規格が存在するため、ＤＶＤスロット２３の規格に準拠したＤＶＤメディア９１を使用しなければ、各種処理（記録、再生等）を行うことができない。
【００２９】
ここで、図２に本発明にかかるＨＤＤ内蔵ＤＶＤレコーダ１におけるコンテンツ記録処理の処理工程のフローチャートを示す。
【００３０】
図２に示すように、制御部１１がユーザより、放送コンテンツの記録指示を検知することにより本処理が開始される（ステップＳ１１）。なお、放送コンテンツの記録指示は、例えばユーザが操作ボタン群２１を用いてコンテンツの記録操作を行った場合、或いは記録予約設定により定められた記録時刻が到来した場合等により開始される。
【００３１】
コンテンツ記録指示を受けた制御部１１は、記録指示において指定されている記録対象の記録媒体として、ＤＶＤメディア９１が指定されているかどうかを確認する（ステップＳ１２）。ＤＶＤメディア９１が指定されている場合、次の処理へ移行する。ＤＶＤメディア９１が指定されていない場合は、通常通りＨＤＤ１３に記録処理を行い（ステップＳ１３）、本処理を終了する。なおＨＤＤ１３に対する通常記録処理は従来技術と同様であるため、ここでは説明を省略する。
【００３２】
ＤＶＤメディア９１への記録指示を受けた制御部１１は、記録可能状態のＤＶＤメディア９１がＤＶＤスロット２３に収納されているかの確認を行う（ステップＳ１４）。例えば、ＤＶＤメディア９１がスロット２３に存在するか、或いはＤＶＤメディア９１に書き込み禁止設定がなされていないか、或いは記録可能な規格のＤＶＤメディア９１であるか、或いはＤＶＤメディア９１がダビング等の他処理に使用されていないか、等の確認を行う。また例えば、予約記録機能等により記録時間の指定がなされている場合は、記録処理に必要な記憶容量を算出し、ＤＶＤメディア９１に十分な空き容量があるかの確認を行うことも可能である。
【００３３】
ＤＶＤメディア９１の認識に成功した場合（ステップＳ１４でＹＥＳの場合）、ＤＶＤメディア９１に対して通常のコンテンツ記録処理を行い（ステップＳ１５）、本処理を終了する。なおＤＶＤメディア９１に対する通常のコンテンツ記録処理の処理内容については従来技術と同様であるため、ここでは説明を省略する。
【００３４】
ＤＶＤメディア９１の認識に失敗した場合（ステップＳ１４でＮＯの場合）、制御部１１は、記憶対象メディアをＤＶＤメディア９１からＨＤＤ１３に切り替え、ＨＤＤ１３を用いてオルタネート記録（代替記録）処理を行う（ステップＳ１６）。オルタネート記録によってＨＤＤ１３に作成されたコンテンツには、属性情報としてオルタネート識別データ（オルタネート記録により作成されたコンテンツであることを示すための識別情報）が付加される（ステップＳ１７）。
【００３５】
また、図３にオルタネート識別データの付加ステップの付加方法の他の例のフローチャートを示す。図３に示すフローチャートは図２に示すフローチャートのステップＳ１６の跡にステップＳ１７にかえて配置されるものである。オルタネート記録（ステップＳ１６）を完了した制御部１１は、作成されたコンテンツに対してジャンル情報の指定がユーザよりなされているかどうかの確認を行う（ステップＳ１７１）。ジャンル情報の指定がなされている場合は、既に指定されているジャンル情報（例えば、映画、スポーツ、ドラマ等）に、オルタネート識別データ（当該コンテンツがオルタネート記録により作成されたものであることを示すジャンル情報）を追加し、ＨＤＤ１３に記憶する（ステップＳ１７２）。ジャンル情報の指定がなされていない場合は、オルタネートジャンルを新規にジャンル情報として設定し、記憶する（ステップＳ１７３）。その後、オルタネート識別データをオルタネートジャンルの１つとしてコンテンツ記録する（ステップＳ１７４）。
【００３６】
次にオルタネート記録された動画データを自動でハードディスクからＤＶＤメディアにダビングするオルタネートダビングについて説明する。図４にオルタネート記録された動画データをＤＶＤメディアにダビングの選択画面の一例を、図５にハードディスクに記録されている動画データの一覧表示の画面の一例を示す。
【００３７】
図４に示す選択画面９は、ハードディスクにオルタネート記録を行った画像データをＤＶＤメディアに自動ダビング（以下オルタネートダビングという）するかどうか決定する「実行決定」の項目と、ダビングを行う時間「実行時間」の項目と、オルタネート記録を行った動画データのうち、ダビングする動画データを選択する「実行タイトル選択」の項目とを有している。
【００３８】
オルタネートダビングの設定は図５に示すような設定画面表示にて行う。ユーザは記録再生装置Ａに備えられるキー入力装置及び（又は）リモートコントローラ（いずれも不図示）を用いて、設定画面表示上でオルタネートダビングを行うかどうかを「実行決定」のＯＮ又はＯＦＦに選択マークＭｋあわせ、設定する。ここでＯＮに選択マークを合わせるとオルタネートダビングの実行を設定しているものであり、ＯＦＦに選択マークＭｋを合わせるとオルタネートダビングの実行を設定していないものである。又この表示方法に限定されるものではなく、ＯＮ及びＯＦＦを選択できるものを広く採用することができる。
【００３９】
次にユーザは、「実行時間」に移動して、オルタネートダビングを行う時間を設定する（図４中では、午後３時が選択されている）。このとき、ユーザによって選択された時間が、別途、記録予約されている時間と重なる場合、点滅し、図示を省略した記録予約時間と重なっている旨を示すメッセージを表示して実行時間の変更を促す。本実施例では、「実行時間」として、時刻の設定のみを行うものを例示しているが、それに限定されるものではなく、年月日、曜日、時間等のオルタネートダビングを行うタイミングを限定できるものを広く採用することができる。また、これらのうち、複数を選択できるようにしていても構わない。さらには、「実行時間」に移ったときに、カレンダーやスケジュール表等が現れるようになっていても良い。
【００４０】
最後に「実行タイトルの選択」にて、オルタネートダビングを行う動画データのタイトルを選択する。「実行タイトルの選択」の項目としては、それに限定されないが、「全タイトル」、「１タイトル」及び「タイトル選択」の３個が用意されている。実行タイトルのうち「全タイトル」は、ハードディスクに記録されている動画データのうち、オルタネート記録された（オルタネート識別データを有する）動画データ全てをＤＶＤメディアにダビングするときに用いられるものであり、「１タイトル」は直近にオルタネート記録された動画データのみＤＶＤメディアにダビングするときに用いられるものであり、「タイトル選択」は複数あるオルタネート記録された動画データのうちユーザが任意に選択するものをＤＶＤメディアにダビングするときに用いられるものである。
【００４１】
このなかで、ユーザによって「タイトル選択」が選ばれたときには、図５に示すハードディスクに記録されている動画データの一覧表示１００に切り替わる。この動画データの一覧表示１００は、動画データの一部の画像（例えば最初のフレームの画像）を画面上に整列して配置している。このとき、カーソル１０１を移動することで、その動画データを識別するタイトル等の詳細が表示されるとともに、オルタネート記録した動画データの場合オルタネート表示１０２が表示される。
【００４２】
図６にハードディスクに記録されている動画データの一覧表示の画面の他の例を示す。図６に示すように、動画データの一覧表示１００ｂでは、動画データの一部の画像のみを整列して配置し、オルタネート表示１０２ｂを画像の中に重ねて示している。この場合も、カーソルを画像に重ねることでその画像に関連付けられた動画データを識別するタイトル等が表示されるものである。このように常にオルタネート表示１０２ｂが常に表示されている場合オルタネート記録された動画データを見つけ出しやすい。上記例では、動画データを識別するデータとしてタイトルを例に説明しているが、それに限定されるものではなく、個別データを羅列するものであっても良い。
【００４３】
図７にハードディスクに記録されている動画データの一覧表示の画面のさらに他の例を示す。図７に示す動画データの一覧表示１００ｃは、ジャンルわけされて表示されるものである。上部にジャンル表示部１０４ｃ（ジャンルタブ１０４ｃ）を選択することで、各ジャンルタブ１０４ｃに表示されているジャンルに属する画像データの一覧を表示することができる。
【００４４】
例えば図７に示すように映画のタブが選択されているとすると、動画データ内に含まれる任意の画像を一覧表示し、オルタネート記録の場合はオルタネート記録である旨を示すオルタネート表示１０２ｃが表示される。画像にカーソルを合わせることで動画データのタイトル等の識別データを表示する。また、ジャンルタブにはオルタネート記録のタブもあり、オルタネート記録された動画データのみを抽出し、一覧表示することも可能である。
【００４５】
図８に本発明にかかる記録再生装置で行われるオルタネートダビングのフローチャートを示す。まず、ハードディスク内にオルタネート記録されたことを識別する識別情報を備えた動画データ（オルタネート記録された動画データ）が存在するかどうか検出する（ステップＳ２１）。オルタネート記録された動画データがハードディスク内に存在しない場合（ステップＳ２１でＮＯの場合）オルタネートダビングは行わない。オルタネート記録された動画データがハードディスク内に含まれている場合（ステップＳ２１でＹＥＳの場合）、ユーザによって設定されたオルタネートダビング設定が、オルタネートダビングを行う設定になっているかどうか判別する（ステップＳ２２）。オルタネートダビングを行わない設定になっている（図４において、「実行設定」ＯＦＦ）場合（ステップＳ２２でＮＯの場合）、オルタネートダビングは行わない。オルタネートダビングを行う設定になっている（図４において「実行設定」ＯＮ）場合（ステップＳ２２でＹＥＳの場合）、オルタネートダビングを行うタイミング（ここでは時刻）を検出する（ステップＳ２３）。
【００４６】
ステップＳ２２にて検出されたオルタネートダビングを行う時刻になったとき、記録再生装置Ａの電源をＯＮにする（ステップＳ２４）。オルタネート記録を行った動画データのうち、ユーザによりオルタネートダビングする動画データとして選択されているものがあるかどうかチェックする（ステップＳ２５）。選択された動画データがない場合（ステップＳ２５でＮＯの場合）、オルタネートダビングは終了する。選択された動画データがある場合（ステップＳ２５でＹＥＳの場合）、ＤＶＤドライブ５にＤＶＤメディアが挿入されているか検知する（ステップＳ２６）。ＤＶＤドライブ５にＤＶＤメディアが挿入されていない場合（ステップＳ２６でＮＯの場合）オルタネートダビングは行わず電源ＯＦＦ（ステップＳ２１２）にして終了する。
【００４７】
ＤＶＤドライブ５のＤＶＤメディアが挿入されている場合（ステップＳ２６でＹＥＳの場合）、ＤＶＤドライブ５に挿入されているＤＶＤメディアが記録可能かどうか判別する（ステップＳ２７）。ＤＶＤドライブ５に挿入されているＤＶＤメディアが記録可能でない場合（ステップＳ２７でＮＯの場合）オルタネートダビングは行わず電源をＯＦＦ（ステップＳ２１２）にして終了する。ＤＶＤドライブ５に挿入されているＤＶＤメディアが記録可能な場合（ステップＳ２７でＹＥＳの場合）、ＤＶＤドライブ５に挿入されたＤＶＤメディアの記録可能な空き容量をチェックする（ステップＳ２８）。
【００４８】
ユーザに選択されている動画データのデータ量を検出する（ステップＳ２９）。ステップＳ２８にて検出されたＤＶＤドライブ５に挿入されているＤＶＤメディアの空き容量と、ステップＳ２９で検出されたオルタネートダビングする動画データのデータ容量とを比較する（ステップＳ２１０）。ＤＶＤメディアの記録可能なデータ容量がダビングする動画データの容量よりも小さい場合（ステップＳ２１０でＮＯの場合）、オルタネートダビングは行わず終了する。
【００４９】
ＤＶＤメディアの記録可能な空き容量がオルタネートダビングする動画データのデータ容量よりも大きい場合（ステップＳ２１０でＹＥＳの場合）、ハードディスクからＤＶＤメディアへのオルタネートダビングを行う（ステップＳ２１１）。オルタネートダビングが終了した後、システムの電源をＯＦＦにし（ステップ２１２）、オルタネートダビングを終了する。
【００５０】
以上の手順で、ハードディスクにオルタネート記録されている動画データを、ＤＶＤメディアにダビングするときに、ユーザが外出していたり、就寝していたりする、換言すると、記録再生装置Ａが使用されていないときにダビングを行うので、ユーザが無駄な時間を費やしたり、ダビングのために別の動作を仕損じることを防ぐことができる。
【００５１】
上記実施例において、記録再生装置の記録媒体としてハードディスク及びＤＶＤメディアを採用しているものをもとに説明しているが、それに限定されるものではなく、大容量の固定型記録媒体及びリムーバブル記録媒体を用いるものを広く採用することができる。また、記録を行うことができるドライブとしてハードディスクドライブと光ディスクドライブの２種類のドライブを用いているものを例に説明しているが、２種類のドライブに限定されるものではなく、複数個の記録再生手段を備えているものを広く採用することができる。
【００５２】
複数の記録再生手段を備える記録再生装置の場合、オルタネート記録された動画データを任意の記録再生手段にオルタネートダビングできるものを挙げることができる。
【産業上の利用可能性】
【００５３】
本発明は、ハードディスク等の大容量の記録媒体と、ＤＶＤ、ＣＤ、メモリカード等のリムーバブル記録媒体を用いるハイブリッド型の記録再生装置において適用することができる。
【図面の簡単な説明】
【００５４】
【図１】本発明にかかる記録再生装置の一例であるＨＤＤ内蔵ＤＶＤレコーダ内部の要部構成を示したブロック図である。
【図２】図１に示すＨＤＤ内蔵ＤＶＤレコーダにおいてオルタネート記録を行うときのフローチャートである。
【図３】図１に示すＨＤＤ内蔵ＤＶＤレコーダにおいてオルタネート記録を識別するための識別情報を付加するフローチャートである。
【図４】オルタネート記録された動画データをＤＶＤメディアにダビングの選択画面の一例を示す図である。
【図５】ハードディスクに記録されている動画データの一覧表示画面の一例を示す図である。
【図６】ハードディスクに記録されている動画データの一覧表示の画面の他の例を示す図である。
【図７】ハードディスクに記録されている動画データの一覧表示の画面のさらに他の例を示す図である。
【図８】本発明にかかる記録再生装置で行われるオルタネートダビングのフローチャートである。
【符号の説明】
【００５５】
１      ＨＤＤ内蔵ＤＶＤレコーダ（記録再生装置）
１１    制御部
１２    メモリ
１３    ＨＤＤ（内部記録媒体）
１４    データ入力部
１５    エンコーダ部
１６    デコーダ部
１７    データ出力部
２３    ＤＶＤスロット
９１    ＤＶＤメディア（外部光学記録媒体）
【図１】
2007234137.tif 000003
【図２】
2007234137.tif 000004
【図３】
2007234137.tif 000005
【図４】
2007234137.tif 000006
【図５】
2007234137.tif 000007
【図６】
2007234137.tif 000008
【図７】
2007234137.tif 000009
【図８】
2007234137.tif 000010